(57)【要約】  順次積層して設けられた少なくとも１つのタッチ誘導層と、少なくとも１つの画素ランプ仕切り層と、少なくとも１つの誘電体基板層とを含むタッチパネルおよびＬＥＤディスプレイであって、タッチ誘導層は、離間して配列された複数の誘導ユニットと、少なくとも１つの接地ユニットとを含み、誘導ユニットと接地ユニットは接触せず、接地ユニットは、独立して設けられ、または任意の個数の他の接地ユニットに接続され、誘導ユニットは、タッチ信号を誘導するために使用され、接地ユニットは接地に使用され、画素ランプ仕切り層には離間して配列された複数の貫通孔が開設され、貫通孔はタッチ誘導層の隙間の下に開設され、貫通孔はＬＥＤ画素ランプを配置するために使用され、誘電体基板層にはいくつかのビアホールが開設され、誘導ユニット、接地ユニットおよびＬＥＤ画素ランプはいずれも、ビアホールを通るワイヤによって、誘電体基板層の底部に接続される。
2020528632.tif 000002
【特許請求の範囲】
【請求項１】
順次積層して設けられた少なくとも１つのタッチ誘導層と、少なくとも１つの画素ランプ仕切り層と、少なくとも１つの誘電体基板層とを含み、
前記タッチ誘導層は、離間して配列された複数の誘導ユニットと、少なくとも１つの接地ユニットとを含み、前記誘導ユニットと前記接地ユニットとの間に隙間が残され、前記誘導ユニットは、ＬＥＤ画素ランプを制御するようにタッチ信号を誘導するものであり、前記接地ユニットは接地に使用され、
前記画素ランプ仕切り層には離間して配列された複数の貫通孔が開設され、前記貫通孔は、前記誘導ユニットと接地ユニットとの間の隙間に対応して設けられ、かつ前記隙間と連通し、前記ＬＥＤ画素ランプを配置するために使用されることを特徴とするタッチパネル。
【請求項２】
前記誘電体基板にはいくつかのビアホールが開設され、前記誘導ユニット、前記接地ユニットおよび前記ＬＥＤ画素ランプはいずれも、前記ビアホールを通るワイヤによって、前記誘電体基板層における前記タッチ誘導層とは反対側の側に設けられたタッチ誘導回路に接続されていることを特徴とする請求項１に記載のタッチパネル。
【請求項３】
１つの前記誘導ユニットは、少なくとも１つの前記ＬＥＤ画素ランプに隣接していることを特徴とする請求項１に記載のタッチパネル。
【請求項４】
前記誘導ユニットおよび前記接地ユニットは両方とも導電性材料で作られており、前記導電性材料は金属導電性材料または非金属導電性材料であり、前記金属導電性材料は銅箔、アルミニウム箔、銅合金膜またはアルミニウム合金膜であり、前記非金属導電性材料は導電性ゴム、導電性プラスチックまたは導電性繊維織物であることを特徴とする請求項１に記載のタッチパネル。
【請求項５】
前記画素ランプ仕切り層および前記誘電体基板層は両方とも絶縁性材料で作られており、前記絶縁性材料はガラス繊維ボード、液晶ポリマー膜、樹脂またはセラミックであることを特徴とする請求項１に記載のタッチパネル。
【請求項６】
前記誘電体基板層から離れた前記タッチ誘導層の表面にコーティングされたソルダーレジストインク層、または前記誘電体基板層から離れた前記タッチ誘導層の表面に設けられた難燃性材料層をさらに含むことを特徴とする請求項１に記載のタッチパネル。
【請求項７】
前記誘導ユニットおよび前記接地ユニットの断面は両方とも八角形であり、前記貫通孔の断面は円形であり、前記八角形は４つの曲線辺と４つの直線辺を含み、かつ曲線辺と直線辺は交互に分布し、隣り合う前記誘導ユニットまたは前記接地ユニットの隣接する辺はいずれも互いに平行な直線辺であり、前記誘導ユニットまたは前記接地ユニットの曲線辺はいずれもその隣接する貫通孔の断面弧に平行であり、そのうち、前記断面は前記タッチパネルに平行なものを指すことを特徴とする請求項１に記載のタッチパネル。
【請求項８】
前記誘導ユニット、前記接地ユニットおよび前記貫通孔の断面はいずれも正方形であり、そのうち、前記断面は前記タッチパネルに平行なものを指すことを特徴とする請求項１に記載のタッチパネル。
【請求項９】
請求項１〜８のいずれか一項に記載のタッチパネルを含み、さらに、タッチ誘導回路を含み、
前記タッチ誘導回路は、少なくとも１つの前記誘導ユニットに対応して接続された少なくとも１つのタッチ誘導モジュールを含み、
前記タッチ誘導モジュールは、その接続された誘導ユニットを介してタッチ信号を入力してタッチ信号を処理することを特徴とするＬＥＤタッチディスプレイ。
【発明の詳細な説明】
【技術分野】
【０００１】
本発明の実施例は、タッチディスプレイの技術分野に属し、特に、タッチパネルおよびＬＥＤディスプレイに関する。
【背景技術】
【０００２】
ＬＥＤディスプレイ技術の継続的な開発に伴い、静電容量式タッチ技術は、さまざまな電子製品のＬＥＤディスプレイでも広く応用されてきて、電子製品のスマートタッチ機能を実現し、電子製品の使いやすさを大幅に向上させる。
【発明の概要】
【発明が解決しようとする課題】
【０００３】
既存の静電容量式タッチ技術は、小型のディスプレイにしか適用できなくて、会議用ディスプレイ、テレビ局用ディスプレイ、展示会用ディスプレイなどの場合、通常、大型のタッチディスプレイが必要であり、既存の静電容量式タッチ技術は、大型のタッチディスプレイへの需要の高まりに応えることができない。大型のディスプレイに適用できる静電容量式タッチ技術を提供することは緊急的な課題となる。
【課題を解決するための手段】
【０００４】
本発明の実施例は、大型のディスプレイに応用され、大型のディスプレイのタッチディスプレイ機能を実現することができ、また、低い生産コストおよび簡単な加工プロセスなどの利点を有するタッチパネルおよびＬＥＤディスプレイを提供する。
【０００５】
本発明の実施例は、一方面で、順次積層して設けられた少なくとも１つのタッチ誘導層、少なくとも１つの画素ランプ仕切り層、および少なくとも１つの誘電体基板層を含み、
前記タッチ誘導層は、離間して配列された複数の誘導ユニットと、少なくとも１つの接地ユニットを含み、前記誘導ユニットと前記接地ユニットとの間に隙間が残され、前記誘導ユニットは、ＬＥＤ画素ランプを制御するようにタッチ信号を誘導するためのものであり、前記接地ユニットは接地に使用され、
前記画素ランプ仕切り層には、離間して配列された複数の貫通孔が開設され、前記貫通孔は、前記誘導ユニットと接地ユニットとの間の隙間に対応して設けられ、かつ前記隙間と連通し、前記ＬＥＤ画素ランプを配置するために使用されるタッチパネルを提供する。
【０００６】
一実施例では、前記誘電体基板にはいくつかのビアホールが開設され、前記誘導ユニット、前記接地ユニットおよび前記ＬＥＤ画素ランプはいずれも、前記ビアホールを通るワイヤによって、前記誘電体基板層における前記タッチ誘導層とは反対側の側に設けられたタッチ誘導回路に接続されている。
【０００７】
一実施例では、１つの前記誘導ユニットは、少なくとも１つの前記ＬＥＤ画素ランプに隣接している。
【０００８】
一実施例では、前記誘導ユニットおよび前記接地ユニットは両方とも導電性材料で作られており、前記導電性材料は金属導電性材料または非金属導電性材料であり、前記金属導電性材料は銅箔、アルミニウム箔、銅合金膜またはアルミニウム合金膜であり、前記非金属導電性材料は導電性ゴム、導電性プラスチックまたは導電性繊維織物である。
【０００９】
一実施例では、前記画素ランプ仕切り層および前記誘電体基板層は両方とも絶縁性材料で作られており、前記絶縁性材料はガラス繊維ボード、液晶ポリマー膜、樹脂またはセラミックである。
【００１０】
一実施例では、前記タッチパネルは、前記誘電体基板層から離れた前記タッチ誘導層の表面にコーティングされたソルダーレジストインク層、または前記誘電体基板層から離れた前記タッチ誘導層の表面に設けられた難燃性材料層をさらに含む。
【００１１】
一実施例では、前記誘導ユニットおよび前記接地ユニットの断面は両方とも八角形であり、前記貫通孔の断面は円形であり、前記八角形は４つの曲線辺と４つの直線辺を含み、かつ曲線辺と直線辺は交互に分布し、隣り合う前記誘導ユニットまたは前記接地ユニットの隣接する辺はいずれも互いに平行な直線辺であり、前記誘導ユニットまたは前記接地ユニットの曲線辺はいずれもその隣接する貫通孔の断面弧に平行であり、そのうち、前記断面は前記タッチパネルに平行なものを指す。
【００１２】
一実施例では、前記誘導ユニット、前記接地ユニットおよび前記貫通孔の断面はいずれも正方形であり、そのうち、前記断面は前記タッチパネルに平行なものを指す。
【００１３】
本発明の実施例は、上記タッチパネルを含み、さらに、タッチ誘導回路を含み、
前記タッチ誘導回路は、少なくとも１つの前記誘導ユニットに対応して接続された少なくとも１つのタッチ誘導モジュールを含み、
前記タッチ誘導モジュールは、その接続された誘導ユニットを介してタッチ信号を入力してタッチ信号を処理するＬＥＤタッチディスプレイをさらに提供する。
【００１４】
一実施例では、前記タッチ誘導回路は、電流制限抵抗、リファレンスコンデンサ、バイパスコンデンサおよびシリアルコマンド入力ポートをさらに含み、
前記タッチ誘導モジュールのタッチ信号出力端子は、前記電流制限抵抗を介して電源に接続され、前記タッチ誘導モジュールの負の電源端子は接地され、前記タッチ誘導モジュールのタッチ信号入力端子は、その対応する誘導ユニットに接続され、前記タッチ誘導モジュールのリファレンスコンデンサ入力端子は、前記リファレンスコンデンサを介して接地され、前記タッチ誘導モジュールの正の電源端子は、電源に接続され、かつ前記バイパスコンデンサを介して接地され、前記タッチ誘導モジュールのタッチ信号出力タイプ選択端子は、前記シリアルコマンド入力ポートを介して接地され、前記シリアルコマンド入力ポートはシリアルコマンドを入力するために使用される。
【００１５】
一実施例では、前記タッチ誘導回路は、前記タッチ信号出力端子と前記電流制限抵抗との間に接続されるＬＥＤ指示灯をさらに含む。
【発明の効果】
【００１６】
本発明の実施例は、タッチ誘導層、画素ランプ仕切り層および誘電体基板層を積層することによってタッチパネルが構成され、タッチ誘導層上の誘導ユニットによってタッチ信号を誘導し、タッチディスプレイ機能を実現しながら、必要に応じてタッチパネルのサイズを設定することができ、大型の静電容量式タッチディスプレイに広く応用でき、かつ低い生産コストおよび簡単な加工プロセスなどの利点を有する。
【図面の簡単な説明】
【００１７】
本発明の実施例における技術的解決手段をより明確に説明するために、以下、実施例の説明で使用される図面を簡単に紹介し、当然のことながら、以下の説明における図面は、本発明のいくつかの実施例に過ぎず、当業者であれば、創造的な労働を要することなく、これらの図面に基づく他の図面を得ることができる。
【００１８】
【図１】本発明の実施例一に係るタッチパネルの正面図、上面図および上面図のＡ−Ａ線に沿った断面図である。
【図２】本発明の実施例二に係るタッチパネルの上面図および上面図のＡ−Ａ線に沿った断面図である。
【図３】本発明の実施例三に係るＬＥＤタッチディスプレイの構造を示す模式図である。
【図４】本発明の実施例四に係るタッチ誘導回路の回路構成を示す模式図である。
【発明を実施するための形態】
【００１９】
当業者が本発明の技術的解決手段をよりよく理解できるように、以下、本発明の実施例における図面を参照して本発明の実施例における技術的解決手段をより詳細に説明し、当然のことながら、ここで説明される実施例は、本発明の実施例の一部に過ぎず、全部の実施例ではない。本発明の実施例に基づいて、創造的な労働なしに当業者によって得られる他のすべての実施例は、本発明の保護範囲に含まれるべきである。
【００２０】
本発明の明細書、特許請求の範囲および上記の図面における「含む」という用語並びにそれらの任意の変形は、非排他的な包含を網羅することを意図する。例えば、一連のステップまたはユニットを含む工程、方法またはシステム、製品または機器は、記載されたステップまたはユニットに限定されず、記載されていないステップまたはユニットをさらに選択的に含むか、これらの工程、方法、製品または機器に固有のその他のステップまたはユニットをさらに選択的に含むことが可能である。なお、「第一」、「第二」や「第三」などの用語は、特定の順序を説明するためのものではなく、異なる対象を区別するために使用される。
【００２１】
実施例一：
図１に示すように、本実施例は、順次積層して設けられた少なくとも１つのタッチ誘導層１と、少なくとも１つの画素ランプ仕切り層２と、少なくとも１つの誘電体基板層３とを含むタッチパネルを提供する。
【００２２】
図１には、１層のタッチ誘導層１、１層の画素ランプ仕切り層２および１層の誘電体基板層３を例示的に示している。
【００２３】
具体的な応用では、タッチ誘導層１、画素ランプ仕切り層２または誘電体基板層３の層数は、実際のニーズに応じて設定でき、例えば、画素ランプ仕切り層２と誘電体基板層３の厚さを増やし、配線を便利にするために、２層の画素ランプ仕切り層および２層の誘電体基板層を設置することができる。
【００２４】
図１の上面図に示すように、タッチ誘導層１は、離間して配列された複数の誘導ユニット１１と、少なくとも１つの接地ユニット１２とを含み、誘導ユニット１１と接地ユニット１２との間に隙間が残され、接地ユニット１２は、独立して設けられ、または任意の個数の他の接地ユニット１２に接続され、誘導ユニット１１は、ＬＥＤ画素ランプを制御するようにタッチ信号を誘導するためのものであり、接地ユニット１２は接地に使用され、誘導ユニット１１および接地ユニット１２は両方とも導電性材料で作られる。
【００２５】
具体的な応用では、誘導ユニット１１および接地ユニット１２の数は実際のニーズに応じて設定できる。
【００２６】
一実施例では、誘導ユニット１１と接地ユニット１２の数は等しくてもよい。
【００２７】
具体的な応用では、タッチ誘導層１が少なくとも１つの接地ユニット１２を含み、タッチ誘導層１が２つ以上の接地ユニット１２を含む場合、すべての接地ユニット１２は互いに接続してから共通的に接地でき、例示的に、接地ユニット１２は、接地するために、ワイヤにより誘電体基板層３上のビアホールを通して接地点に接続される。
【００２８】
一実施例では、１つの誘導ユニット１１は、少なくとも１つのＬＥＤ画素ランプに隣接している。
【００２９】
具体的な応用では、１つの誘導ユニット１１は、１つのＬＥＤ画素ランプまたは２つ以上のＬＥＤ画素ランプに対応し、１つの誘導ユニット１１に対応するＬＥＤ画素ランプの数は、ＬＥＤ画素ランプの密度によって決められる。
【００３０】
具体的な応用では、誘導ユニット１１によって誘導されるタッチ信号は、具体的に、人間の指または静電容量式ペンがタッチ誘導ユニットに接触すると、静電容量の変化が生じ、それにより電流が変化し、タッチ信号が生成されることを指す。
【００３１】
一実施例では、導電性材料は金属導電性材料または非金属導電性材料であり、実際のニーズに応じて任意の金属導電性材料、例えば、銅箔、アルミニウム箔または銅合金、アルミニウム合金などの合金材料で作られたフィルムを選択してよく、実際のニーズに応じて任意の非金属導電性材料、例えば、導電性ゴム、導電性プラスチック、導電性繊維織物などを選択してもよい。
【００３２】
図１のＡ−Ａ線に沿った断面図に示すように、画素ランプ仕切り層２には離間して配列された複数の貫通孔２１が開設され、前記貫通孔２１は、前記誘導ユニット１１と接地ユニット１２との間の隙間に対応して設けられ、かつ前記隙間と連通し、貫通孔２１は、隣接するＬＥＤ画素ランプを離間させるようにＬＥＤ画素ランプを配置するためのものである。
【００３３】
図１のＡ−Ａ線に沿った断面図には、誘導ユニット１１と接地ユニット１２の数が等しい様子を例示的に示している。
【００３４】
図１に示す特定の実施形態では、誘導ユニット１１および接地ユニット１２の断面は両方とも八角形であり、貫通孔２１の断面は円形であり、八角形は４つの曲線辺と４つの直線辺を含み、かつ曲線辺と直線辺は交互に分布し、隣り合う誘導ユニット１１または接地ユニット１２の隣接する辺はいずれも互いに平行な直線辺であり、誘導ユニット１１または接地ユニット１２の曲線辺はいずれもその隣接する貫通孔の断面弧に平行であり、そのうち、断面はタッチパネルに平行なものを指す。
【００３５】
図１に示す特定の実施形態では、誘導ユニット１１と接地ユニット１２のサイズは同じであり、かつ任意の隣接する誘導ユニット１１または接地ユニット１２間のギャップは同じであり、誘導ユニット１１または接地ユニット１２はその隣接する貫通孔との間のギャップは同じである。
【００３６】
図１に示す構造分布は、タッチ誘導層１の面積を最大化することができるので、この構造に基づくタッチパネルがＬＥＤディスプレイに適用される場合、良好なタッチ効果を実現できる。
【００３７】
具体的な応用では、誘導ユニット１１、接地ユニット１２および貫通孔２１の断面形状は、実際のニーズに応じて設定することができる。
【００３８】
誘電体基板層３にはいくつかのビアホール（図示せず）が開設され、誘導ユニット１１、接地ユニット１２およびＬＥＤ画素ランプはいずれも、ビアホールを通るワイヤによって、誘電体基板層３におけるタッチ誘導層１とは反対側の側に設けられたタッチ誘導回路（図示せず）に接続され、画素ランプ仕切り層２および誘電体基板層３は両方とも絶縁性材料で作られる。
【００３９】
具体的な応用では、誘電体基板層３の厚さおよびビアホールの数は、実際のニーズに応じて設定することができる。
【００４０】
具体的な応用では、実際のニーズに応じて、例えば、ガラス繊維ボード、液晶ポリマー膜、樹脂またはセラミックなど、任意の種類の絶縁性材料を選択することができる。
【００４１】
一実施例では、タッチパネルは、前記画素ランプ仕切り層２から離れた前記タッチ誘導層の端面にコーティングされたソルダーレジストインク層、または前記画素ランプ仕切り層２から離れた前記タッチ誘導層の端面に設けられた難燃性材料層をさらに含む。
【００４２】
一実施例では、難燃性材料層はＦＲ−４エポキシ樹脂ボードであってもよい。
【００４３】
具体的な応用では、実際のニーズに応じて、ＣＯＢプロセスのような任意の既知の製造プロセスを選択してタッチパネルを製造してもよい。本実施例において、タッチパネルの製造プロセスは特に限定されない。
【００４４】
本実施例は、タッチ誘導層１、画素ランプ仕切り層２および誘電体基板層３を積層することによってタッチパネルが構成され、タッチ誘導層の誘導ユニットによってタッチ信号を誘導し、タッチディスプレイ機能を実現しながら、必要に応じてタッチパネルのサイズを設定することができ、大型の静電容量式タッチディスプレイに広く応用でき、かつ低い生産コストおよび簡単な加工プロセスなどの利点を有する。
【００４５】
実施例二：
図２に示すように、本実施例は、誘導ユニット１１、接地ユニット１２および貫通孔２１（図中では黒色の正方形は貫通孔２１を示す。）の断面がいずれも正方形である場合を例示的に示し、そのうち、断面はタッチパネルに平行なものを指す。
【００４６】
図２において、誘導ユニット１１、接地ユニット１２および貫通孔２１の断面はいずれも、同じサイズを有する正方形であり、そのうち１つの貫通孔２１の周囲に７つの誘導ユニット１１および１つの接地ユニットが設けられ、他の貫通孔２１の周囲に８つの誘導ユニットが設けられている。
【００４７】
具体的な応用では、タッチ誘導層は、少なくとも１つの接地ユニットを含む。
【００４８】
実施例三：
図３に示すように、本発明の一実施例は、上記実施例におけるタッチパネル１０と、タッチ誘導回路２０とを含むＬＥＤタッチディスプレイ１００を例示的に示し、タッチ誘導回路２０は、少なくとも１つのタッチ誘導モジュール２０１を含み、タッチ誘導モジュール２０１は、少なくとも１つの誘導ユニット１１に対応して接続され、タッチ誘導モジュール２０は、その接続された誘導ユニット１１を介してタッチ信号を入力してタッチ信号を処理するためのものである。
【００４９】
図３には、タッチ誘導回路２０がすべての誘導ユニット１１の数に対応するタッチ誘導モジュール２０１を含み、各タッチ誘導モジュール２０１が１つの誘導ユニット１１に対応して接続されることを例示的に示している。
【００５０】
一実施例では、タッチ誘導回路は、１つのタッチ誘導モジュールを含み、前記タッチ誘導モジュールはそれぞれ複数の誘導ユニットに接続されている。
【００５１】
実施例四：
図４に示すように、本発明の一実施例では、タッチ誘導回路２０は、電流制限抵抗Ｒ１、リファレンスコンデンサＣ１、バイパスコンデンサＣ２およびシリアルコマンド入力ポートＬＨＦをさらに含む。
【００５２】
図４に示すように、本実施例では、タッチ誘導モジュール２０１は、タッチ誘導チップＩＣ１であり、タッチ誘導チップＩＣ１のタッチ信号出力端子ＫＯＵＴは、電流制限抵抗Ｒ１を介して電源ＶＤＤに接続され、タッチ誘導チップＩＣ１の負の電源端子ＶＳＳは接地され、タッチ誘導チップＩＣ１のタッチ信号入力端子Ｋｅｙは対応する誘導ユニットＫｅｙ１−１に接続され、タッチ誘導チップＩＣ１のリファレンスコンデンサ入力端子Ｃｒｅｆは、リファレンスコンデンサＣ１を介して接地され、タッチ誘導チップＩＣ１の正の電源端子ＶＤＤは、電源ＶＤＤに接続され、かつバイパスコンデンサＣ２を介して接地され、タッチ誘導チップＩＣ１のタッチ信号出力タイプ選択端子ＬＨＦは、シリアルコマンド入力ポートＬＨＦを介して接地され、シリアルコマンド入力ポートＬＨＦは、シリアルコマンドを入力するために使用される。
【００５３】
図４に示すように、本実施例では、タッチ誘導回路２０は、タッチ信号出力端子ＫＯＵＴと電流制限抵抗Ｒ１との間に接続されるＬＥＤ指示灯ＬＥＤ１をさらに含む。
【００５４】
具体的な応用では、タッチ誘導チップは、ＢＳ８０１Ｂ型タッチ誘導ボタンチップであってもよく、実際のニーズに応じて他の任意の種類のチップを選択してもよい。
【００５５】
一実施例では、タッチ誘導チップは、ＣＰＵ（Ｃｅｎｔｒａｌ  Ｐｒｏｃｅｓｓｉｎｇ  Ｕｎｉｔ、中央処理装置）などのユニバーサル集積回路、またはＡＳＩＣ  （Ａｐｐｌｉｃａｔｉｏｎ  Ｓｐｅｃｉｆｉｃ  Ｉｎｔｅｇｒａｔｅｄ  Ｃｉｒｃｕｉｔ、専用集積回路）によって実現される。
【００５６】
上記は本発明の好ましい実施例に過ぎず、本発明を制限するためのものではなく、本発明の精神及び原則においてなされたあらゆる変更、等価取替及び改良などは、いずれも本発明の保護範囲に含まれるはずである。
【符号の説明】
【００５７】
１  タッチ誘導層
２  画素ランプ仕切り層
３  誘電体基板層
１０  タッチパネル
１１  誘導ユニット
１２  接地ユニット
２０  タッチ誘導回路
２１  貫通孔
１００  タッチディスプレイ
２０１  タッチ誘導モジュール
【図１】
2020528632.tif 000003
【図２】
2020528632.tif 000004
【図３】
2020528632.tif 000005
【図４】
2020528632.tif 000006
【国際調査報告】
2020528632.tif 000007
2020528632.tif 000008
2020528632.tif 000009
2020528632.tif 000010